【事件の表示】
　特許第２７８７９７２号「画像表示装置」の請求項１乃至３に係る特許に対する特許異議の申立てについて、次のとおり決定する。
【結　論】
　訂正を認める。
　特許第２７８７９７２号の請求項１に係る特許を維持する。
【理　由】
１．手続きの経緯
　特許第２７８７９７２号の請求項１乃至３に係る発明は、平成５年４月８日に出願され、平成１０年６月５日に設定登録され、その後、その特許について特許異議申立人パイオニア株式会社より特許異議の申立てがなされ、取消理由通知がなされ、その指定期間内である平成１１年９月６日に訂正請求がなされた後、再度取消理由通知がなされ、その指定期間内である平成１２年２月１５日に、再度訂正請求がなされるとともに、平成１１年９月６日付け訂正請求が取り下げられたものである。
　
２．訂正の適否について
ア．訂正の内容
　平成１２年２月１５日付け訂正請求書にて特許権者が求める訂正の内容は以下のとおりである。
ａ．発明の名称の「画像表示方法およびその装置」の記載を「画像表示装置」と訂正する。
ｂ．請求項１及び２を削除する。
ｃ．請求項３を新たな請求項１とする。
ｄ．請求項３の「前記分離した垂直同期信号の周波数を１／２とし、同１／２カウンタ部のセット、リセット信号を出力する１／２垂直カウンタ手段と、」の記載を「前記分離した垂直同期信号の周波数を１／２として前記１／２水平カウンタ手段にセット、リセット信号を出力し、フィールド毎あるいはフレーム毎に前記１／２水平カウンタ手段の出力を反転させる１／２垂直カウンタ手段と、」と訂正する。
ｅ．特許明細書【０００１】および【００１２】の「画像表示方法およびその装置」の記載を「画像表示装置」と訂正する。
ｆ．特許明細書【０００８】の「この発明は上記課題に鑑みなされたものであり、その目的は画像の表示画面のの偽輪郭を目だ立たなくし、画質の向上を図ることができるようにしたた画像表示方法およびその装置を提供することにある。」の記載を「この発明は上記課題に鑑みなされたものであり、その目的は画像の表示画面の偽輪郭を目だ立たなくし、画質の向上を図ることができるようにした画像表示装置を提供することにある。」と訂正する。
ｇ．特許明細書【０００９】の「上記目的を達成するために、この発明の画像表示方法およびその装置は、入力ビデオ信号による画像を表示パネル（ＰＤＰ）に表示する際、同入力ビデオ信号のレベルを表示ライン（水平走査期間）毎に可変し、かつフィールド毎あるいはフレーム毎に可変し、該レベル可変したビデオ信号に基づいて画像を表示するようにしたことを要旨とする。」の記載を「上記目的を達成するために、この発明の画像表示装置は、入力ビデオ信号による画像を表示パネル（ＰＤＰ）に表示する画像表示装置において、前記入力ビデオ信号の同期信号（水平および垂直）を分離し、コンポジットビデオ信号を復調する色復調同期分離手段と、前記分離した水平同期信号の周波数を１／２とし、この１／２周波数の信号を出力する１／２水平カウンタ手段と、前記分離した垂直同期信号の周波数を１／２として前記１／２水平カウンタ手段にセット、リセット信号を出力し、フィールド毎あるいはフレーム毎に前記１／２水平カウンタ手段の出力を反転させる１／２垂直カウンタ手段と、前記水平同期信号および１／２水平カウンタ手段からの周波数１／２の信号を入力し、表示ライン毎にビデオ信号レベルを変え、かつフィールド（奇数、偶数）毎あるいはフレーム毎にそのビデオ信号レベルの可変方向を逆とするためのクランプパルスを出力するクランプパルスレベル変調手段と、前記復調したビデオ信号のレベルをそのクランプパルスによって可変するクランプ手段とを備え、該レベル可変したビデオ信号に基づいて画像を表示し、同画像の表示画面の偽輪郭の位置を表示ライン毎、かつフィールド毎に変えるようにしたことを特徴としている。」と訂正する。
ｈ．特許明細書【００１３】の「出力する１／２カウンタ部３と、同分離した垂直同期信号の周波数を１／２とし、同１／２カウンタ部のセット、リセット信号を出力する１／２カウンタ部４と、同水平同期信号および１／２カウンタ部３からの周波数１／２の信号を入力し、表示ライン毎（表示ライン交互）にビデオ信号レベルを変え、かつフィールド（奇数、偶数）毎あるいはフレーム毎ににその」の記載を「出力する１／２水平カウンタ部３と、同分離した垂直同期信号の周波数を１／２として１／２水平カウンタ部にセット、リセット信号を出力し、フィールド毎あるいはフレーム毎に１／２水平カウンタ部３の出力を反転させる１／２垂直カウンタ部４と、同水平同期信号および１／２カウンタ部３からの周波数１／２の信号を入力し、表示ライン毎（表示ライン交互）にビデオ信号レベルを変え、かつフィールド（奇数、偶数）毎あるいはフレーム毎にその」と訂正する。
ｉ．特許明細書【００１５】の「画像表示装置の動作および画像表示方法の作用」の記載を「画像表示装置の作用」と訂正する。
ｊ．特許明細書【００２３】の「この発明の画像表示方法およびその装置によれば」の記載を「この発明によれば」と訂正する。
ｋ．図面の簡単な説明の【図２】の「図１に示す画像表示装置の動作および画像表示方法の作用を説明する概略的タイムチャート図である。」の記載を「図１に示す画像表示装置の作用を説明する概略的タイムチャート図である。」と訂正する。
ｌ．同【図３】の「図１に示す画像表示装置の動作および画像表示方法の作用を説明するビデオ信号の模式図である。」の記載を「図１に示す画像表示装置の作用を説明するビデオ信号の模式図である。」と訂正する。
　
イ．訂正の目的の適否、新規事項の有無及び拡張・変更の存否
　上記ａ、ｅ、ｆ、ｉ、ｊ、ｋ、ｌの訂正は、請求項１および２を削除することにより、方法の発明がなくなり、装置の発明のみになったため、明細書の対応する個所を装置の発明のみになるように訂正するものであるから、明りょうでない記載の釈明である。
　上記ｂの訂正は請求項を削除するものであるから、特許請求の範囲の減縮である。
　上記ｃの訂正は請求項１および２を削除したことにより、請求項３を新たな請求項１とするものであるから、明りょうでない記載の釈明である。
　上記ｄに関する記載として、「１／２水平カウンタ部３はその水平同期信号を分周して周波数を１／２とする。このとき、１／２垂直カウンタ部４はその垂直同期信号（パルス）を分周して周波数を１／２とし、この１／２の周波数とした信号を１／２水平カウンタ部３のセット、リセット信号とする。したがって、上記１／２水平カウンタ部３ではフィールド毎あるいはフレーム毎に入力水平同期信号の周波数を１／２とするカウント動作を行うことになる。」【００１６】の記載がある。
　したがって、上記ｄの訂正は、願書に添付した明細書に記載した事項の範囲内で、垂直カウンタ手段の構成を実施例に記載された内容となるよう、具体的に限定したものといえるから、特許請求の範囲の減縮である。
　上記ｇ、ｈの訂正は、特許請求の範囲の訂正にあわせて、対応する発明の詳細な説明の記載を訂正するものであるから明りょうでない記載の釈明である。
　そして、上記ａ乃至ｌの訂正は、新規事項の追加に該当せず、また、実質上特許請求の範囲を拡張し、または変更するものではない。
　
ウ．独立特許要件の判断
Ａ．訂正後の本件発明
　訂正明細書の請求項１に係る発明（以下、本件発明という）は、その特許請求の範囲の請求項１に記載された下記のとおりのものである。
    記
【請求項１】　入力ビデオ信号による画像を表示パネル（ＰＤＰ）に表示する画像表示装置において、
　前記入力ビデオ信号の同期信号（水平および垂直）を分離し、コンポジットビデオ信号を復調する色復調同期分離手段と、
　前記分離した水平同期信号の周波数を１／２とし、この１／２周波数の信号を出力する１／２水平カウンタ手段と、
　前記分離した垂直同期信号の周波数を１／２として前記１／２水平カウンタ手段にセット、リセット信号を出力し、フィールド毎あるいはフレーム毎に前記１／２水平カウンタ手段の出力を反転させる１／２垂直カウンタ手段と、
　前記水平同期信号および１／２水平カウンタ手段からの周波数１／２の信号を入力し、表示ライン毎にビデオ信号レベルを変え、かつフィールド（奇数、偶数）毎あるいはフレーム毎にそのビデオ信号レベルの可変方向を逆とするためのクランプパルスを出力するクランプパルスレベル変調手段と、
　前記復調したビデオ信号のレベルをそのクランプパルスによって可変するクランプ手段とを備え、
　該レベル可変したビデオ信号に基づいて画像を表示し、同画像の表示画面の偽輪郭の位置を表示ライン毎、かつフィールド毎に変えるようにしたことを特徴とする画像表示装置。
　
Ｂ．平成１１年１１月２５日付け取消理由について
　平成１１年１１月２５日付け取消理由の概要は下記のとおりである。
    記
　平成１１年９月６日付け訂正請求により訂正された請求項１および２に係る発明は、刊行物１（特公昭５９−４５１９号公報）、刊行物２（特開昭６０−２１２０６９号公報）の記載に基づき当業者が容易に発明をすることができたものであり、上記請求項に係る特許は、特許出願の際独立して特許を受けることができないから、平成１１年９月６日付け訂正請求書による訂正は、特許法第１２０条の４第３項で準用する同法第１２６条第４項の規定に適合しないので、この訂正は認められない。
　そして、平成１１年９月６日付け訂正請求書による訂正は認められないから、上記訂正前の請求項１乃び２に係る発明は、訂正前の特許請求の範囲の請求項１乃び２に記載された事項により特定されるものであり、上記請求項１および２に係る発明は、刊行物１（特公昭５９−４５１９号公報）、刊行物２（特開昭６０−２１２０６９号公報）の記載に基づき当業者が容易に発明をすることができたものであり、特許法第２９条第２項の規定に違反して特許されたものであり、該請求項に係る特許を取り消すべきものと認める。
　
　上記取消理由の対象となる請求項１および２は平成１２年２月１５日付け訂正請求により削除されたから、平成１１年１１月２５日付け取消理由は解消している。
　
Ｃ．平成１１年６月１４日付け取消理由について
　平成１１年６月１４日付け取消理由の概要は下記のとおりである。
　　記
ｉ）特許法第３６条について　
　本件請求項３に係る発明の構成のうち、「前記分離した垂直同期信号の周波数を１／２とし、同１／２カウンタ部のセット、リセット信号を出力する１／２垂直カウンタ手段」が「前記水平同期信号および１／２水平カウンタ手段からの周波数１／２の信号を入力し、表示ライン毎にビデオ信号レベルを変え、かつフィールド（奇数、偶数）毎あるいはフレーム毎にそのビデオ信号レベルの可変方向を逆とするためのクランプパルスを出力するクランプパルスレベル変調手段」とどのように接続されているか、また、「垂直カウンタ手段」から出力されたリセット信号が「レベル変調手段」に対してどのように作用しているか不明であるから、上記請求項３に記載された事項に基づいて当該特許を受けようとする発明を明確に把握することができず、本件請求項３に係る特許は、特許法第３６条第５項第２号の規定に違反してされたものである。
　
ii)特許法第２９条について
　本件請求項１乃至３に係る発明は、刊行物１（特公昭５９−４５１９号公報）、刊行物２（特開昭６０−２１２０６９号公報）、刊行物３（特開昭６３−２３４８６号公報）に記載された発明に基づき当業者が容易に発明をすることができたと認められるから、本件請求項１乃至３に係る発明の特許は特許法第２９条第２項の規定に違反してされたものである。
　
（当審の判断）
ｉ）特許法第３６条について
　平成１２年２月１５日付け訂正請求で、上記取消理由の対象となる請求項３の「１／２垂直カウンタ手段」は、「前記分離した垂直同期信号の周波数を１／２として前記１／２水平カウンタ手段にセット、リセット信号を出力し、フィールド毎あるいはフレーム毎に前記１／２水平カウンタ手段の出力を反転させる１／２垂直カウンタ手段」と訂正され、該訂正により上記記載不備は解消した。
　
ii）特許法第２９条について
ａ．刊行物の記載事項　
　上記刊行物１乃至３には下記のとおりの記載がある。
刊行物１：特公昭５９−　４５１９号公報
　「この発明は・・デジタルテレビジョン装置に関するもの」（公報１欄２４−２９行）
　「表示画面の明暗がなだらかに変化する部分などに偽輪郭と称する地図の等高線のような線が明確に現れ」（公報２欄９−１１行）
　「この発明は映像信号のレベルをｎ通りのデジタル信号に変換するものにおいて、上記映像信号に走査線１本もしくは１フィールド毎に２ｎ分の１の電圧を加えてｎ通りの段階にＡ−Ｄ変換することにより、等価的に２ｎ通りに相当するものと同等の表示画質が得られるようにした」（公報２欄１６−２１行）
　「１は入力端子であり、これには映像信号および水平同期信号を含むビデオ信号が入力されるようになっている。・・モニタテレビ等の表示装置６に加え映像を表示させるようにしてある」（公報２欄２４−３７行）
　「同期信号分離回路７で取出された水平同期信号がフリップフロップ回路８に導入されると、フリップフロップ回路８からは１水平周期毎に反転する矩形波が送出され、この矩形波電圧は可変抵抗器９によりデジタル分割数の１／２、すなわち４ビット１６段階の場合は映像信号の３２分の１に相当する電圧に調整されて、第２図ｃに示す如き振幅の電圧が取出される。この電圧は入力端子１からの映像信号に水平走査線１本毎に加えられてＡ−Ｄ変換器２に導入されＡ−Ｄ変換される。このため、上記Ａ−Ｄ変換された信号を加工装置４を通してＤ−Ａ変換器５によりアナログ変換すれば、第２図ｄに示すように水平走査線１本毎に破線と実線の如き映像信号となり、この結果、実際に表示装置６に加えられる映像信号は１６分割の２倍に相当した第２図ｅに示す如き３２段階のものと等価に見える。」（公報３欄２５行−４欄５行）
　「なお、飛越し走査の場合は、走査線は奇数であるため、１本おきに電圧が加えられる走査線は、フィールド毎に隣りと入れ代わり、その結果、走査線１本毎に明るさが増すと云う現象は目の積分効果により中和される」（公報４欄１０−１４行）
　
刊行物２：特開昭６０−２１２０６９号公報
　「近年、テレビ表示は・・液晶パネル表示方式が加わり、・・液晶表示のコントラスト比が向上すると同時に階調段階が不足してきて・・各階調間に疑似輪郭が認められ、画面の不自然さを感じさせる」（公報２頁右上欄９−２０行）
　「第１図においてＣはアナログ映像信号の直流分を除去するコンデンサ、Ｃ１〜Ｃ２ｎ−１は入力信号の電圧レベルにより出力が電源電圧レベル、グランドレベル（以後ＶＤＤレベル、Ｖｓｓレベルとする。）の２値に切り変わるコンパレータ、２は直流分を除去された映像信号に新たなバイアス電圧を重畳するためのバイアス電圧発生回路であり、外部入力端子１に入る入力信号によりバイアス電圧値がかわる」（公報２頁左下欄１０−１８行）
　「本実施例に於いてＡ／Ｄコンバータの量子化ステップ電圧値をΔｈとすれば｜Ｖ２−Ｖ１｜＝Δｈ／２の関係がある」（公報３頁右上欄６−８行）
　「第４図（ｃ）は、映像信号をフレーム単位で表したものであり、４２は垂直同期信号を示し、第４図（ｄ）は第２図の外部入力端子１の入力となる信号でテレビのフレーム周波数の１／２の周波数である。この外部入力により映像信号の直流バイアス電圧はフレームごとにΔｈ／２（Ｖ）変動する」（公報３頁左下欄５−１１行）
　「第４図（ｆ）において第１フレームのｔ１にあたる画素は第ｉ階調を表示するが、第２フレームでは入力直流バイアス電圧がΔｈ／２(Ｖ)あがったことによりｔ'１にあたる画素は第（ｉ＋１）階調を表示し、第３フレームでは再び第ｉ階調を表示する、ｔ２とｔ'２も同様に繰り返すことになる。」（公報３頁右下欄１０−１６行）
　「本回路はフレーム周波数に同期した周波数で入力信号に重畳する直流バイアス電圧を、変動させることにより各コンパレータのスレッショルド付近の情報を１階調分変化させ、表示画素を形成する物質の時定数や目の残像現象を利用し、量子化誤差を減少し、階調と階調の間の中間階調をＡ／Ｄコンバータのビット数を増すことなく表すことができる回路であり、同じビット数のＡ／Ｄコンバータと比べ疑似輪郭のない階調の豊かな自然な画面を提供できる」（公報４頁右上欄５−１４行）
　
刊行物３：特開昭６３−　２３４８６号公報
  「本発明は上記問題点に鑑み、量子化に伴い生ずる偽輪郭現象を視覚上目立たなくし、実質上、量子化ビット数を１ビット分増加した場合と同様な画像品質を得ることが可能となるような映像信号処理装置」（公報３頁右下欄１１−１４行）
　「まず、第１図中の入力端子１に入力された映像信号中の水平同期信号を水平同期分離回路２２で分離し、クランプ電圧制御回路２１で水平同期信号を１／２分周し、最初の一水平走査期間は高レベルに、次の一水平走査期間は低レベルになるような水平走査期間の２倍の周期をもつ制御パルスを生成する。
　更に、クランプ電圧制御回路２１で生成された制御パルスはクランプ回路２３に供給され、ここで上記制御パルスが高レベル時には第１のクランプ電圧Ｖ１でもって入力映像信号をクランプし、上記制御パルスが低レベル時には上記第１のクランプ電圧より最下位ビット（ＬＳＢ）の１／２に相当する入力電圧分だけ高い（又は低い）クランプ電圧Ｖ２でもって入力映像信号をクランプする。これにより、クランプ回路２３で映像信号は、１水平走査期間毎に１／２ＬＳＢ相当のＤＣ電圧差を持ってクランプされ、Ａ／Ｄ変換器４に供給される。
　Ａ／Ｄ変換器４では、クロック発生回路２で発生したクロックパルスに応じて映像信号をサンプリングし、更にデジタル信号に変換する。このとき、Ａ／Ｄ変換器４に入力される映像信号はＡ／Ｄ変換器４の比較電圧分のうち１／２ＬＳＢ相当分だけ１水平走査毎にＤＣシフトしてクランプされているため、一水平走査期間毎にサンプリング波形が交互に変化することになる」（公報４頁右下欄１行−５頁左上欄６行）
　
ｂ．対比・判断
　本件発明と上記刊行物１乃至３に記載された発明とを対比すると、上記刊行物１乃至３には、本件発明を特定する事項である「前記分離した垂直同期信号の周波数を１／２として前記１／２水平カウンタ手段にセット、リセット信号を出力し、フィールド毎あるいはフレーム毎に前記１／２水平カウンタ手段の出力を反転させる１／２垂直カウンタ手段」が記載されていない。
　すなわち、上記刊行物１には水平同期信号に同期して直流バイアスを選択的に重畳し、実質的にクランプレベルを変化させるために、水平同期信号を１／２分周して、上記１／２分周された信号に同期して、交互に２つの直流バイアスレベルを発生するものが記載されている。
　一方、上記刊行物２には垂直同期信号に同期して直流バイアスを選択的に重畳し、実質的クランプ電圧を変化させるために、垂直同期信号を１／２分周して、上記１／２分周された信号に同期して、交互に２つの直流バイアスレベルを発生するものが記載されている。
　また、上記刊行物３には、クランプレベルを変化させるために、水平同期信号を１／２分周して、上記１／２分周された信号に同期して、交互に２つのクランプレベルを発生するものが記載されている。
　したがって、上記刊行物１乃至３に記載された技術思想を組み合わせたとしても、水平同期信号および垂直同期信号をそれぞれ１／２分周し、垂直・水平個々に異なるクランプレベルを発生する構成は類推することはできても「前記分離した垂直同期信号の周波数を１／２として前記１／２水平カウンタ手段にセット、リセット信号を出力し、フィールド毎あるいはフレーム毎に前記１／２水平カウンタ手段の出力を反転させる１／２垂直カウンタ手段」の構成を推考することはできず、したがって、本件発明は当業者が容易に発明をすることができたとはいえない。
　
　よって、上記平成１１年６月１４日付けおよび平成１１年１１月２５日付け取消理由は解消しており、本件発明は特許出願の際独立して特許を受けることができるものである。
　
Ｄ．むすび
　以上のとおりであるから、上記訂正は、特許法第１２０条の４第２項および同条第３項で準用する第１２６条第２項から第４項までの規定に適合するので、当該訂正を認める。
　
３．特許異議の申し立てについて
ア．申立の概要
　特許異議申立人パイオニア株式会社は、特許異議の申立て時に、証拠として甲第１乃至３号証（当審が上記取消理由通知書で引用した刊行物１乃至３とその内容は同じである）を提出し、本件請求項１乃至３に係る発明は、甲第１乃至３号証に基づき当業者が容易に発明をすることができたものであるから特許法第２９条第２項の規定に該当し、本件請求項１乃至３の特許は、特許法第１１３条第１項第２号の規定により取り消されるべきである旨主張している。
　
イ．判断
　平成１２年２月１５日付け訂正請求により、上記異議の申立てがされた請求項のうち、請求項１および請求項２は削除され、請求項３に係る発明は新たな請求項１となった。
　そして、上記新たな請求項１に係る発明と、上記刊行物１乃至３に記載された発明とを対比すると、上記甲第１号証乃至甲第３号証には、上記新たな請求項１に係る発明を特定する事項である「前記分離した垂直同期信号の周波数を１／２として前記１／２水平カウンタ手段にセット、リセット信号を出力し、フィールド毎あるいはフレーム毎に前記１／２水平カウンタ手段の出力を反転させる１／２垂直カウンタ手段」が記載されていないことは、上記「２．ウ．Ｃ．ii)．ｂ」に記載したとおりである。
　よって、上記新たな請求項１に係る発明は上記甲第１乃至３号証に記載された発明に基づき当業者が容易に発明をすることができたとはいえない。
　
ウ．むすび
　以上のとおりであるから、特許異議の申立ての理由および、証拠によっては、本件発明の特許を取り消すことはできない。　
　また、他に本件発明の特許を取り消すべき理由を発見しない。
　よって結論のとおり決定する。　
【異議決定日】
平成１２年３月２７日（２０００．３．２７）
【訂正の要旨】
訂正の要旨
ａ．発明の名称の「画像表示方法およびその装置」の記載を「画像表示装置」と訂正する。
ｂ．請求項１及び２を削除する。
ｃ．請求項３を新たな請求項１とする。
ｄ．請求項３の「前記分離した垂直同期信号の周波数を１／２とし、同１／２カウンタ部のセット、リセット信号を出力する１／２垂直カウンタ手段と、」の記載を「前記分離した垂直同期信号の周波数を１／２として前記１／２水平カウンタ手段にセット、リセット信号を出力し、フィールド毎あるいはフレーム毎に前記１／２水平カウンタ手段の出力を反転させる１／２垂直カウンタ手段と、」と訂正する。
ｅ．特許明細書【０００１】および【００１２】の「画像表示方法およびその装置」の記載を「画像表示装置」と訂正する。
ｆ．特許明細書【０００８】の「この発明は上記課題に鑑みなされたものであり、その目的は画像の表示画面のの偽輪郭を目だ立たなくし、画質の向上を図ることができるようにしたた画像表示方法およびその装置を提供することにある。」の記載を「この発明は上記課題に鑑みなされたものであり、その目的は画像の表示画面の偽輪郭を目だ立たなくし、画質の向上を図ることができるようにした画像表示装置を提供することにある。」と訂正する。
ｇ．特許明細書【０００９】の「上記目的を達成するために、この発明の画像表示方法およびその装置は、入力ビデオ信号による画像を表示パネル（ＰＤＰ）に表示する際、同入力ビデオ信号のレベルを表示ライン（水平走査期間）毎に可変し、かつフィールド毎あるいはフレーム毎に可変し、該レベル可変したビデオ信号に基づいて画像を表示するようにしたことを要旨とする。」の記載を「上記目的を達成するために、この発明の画像表示装置は、入力ビデオ信号による画像を表示パネル（ＰＤＰ）に表示する画像表示装置において、前記入力ビデオ信号の同期信号（水平および垂直）を分離し、コンポジットビデオ信号を復調する色復調同期分離手段と、前記分離した水平同期信号の周波数を１／２とし、この１／２周波数の信号を出力する１／２水平カウンタ手段と、前記分離した垂直同期信号の周波数を１／２として前記１／２水平カウンタ手段にセット、リセット信号を出力し、フィールド毎あるいはフレーム毎に前記１／２水平カウンタ手段の出力を反転させる１／２垂直カウンタ手段と、前記水平同期信号および１／２水平カウンタ手段からの周波数１／２の信号を入力し、表示ライン毎にビデオ信号レベルを変え、かつフィールド（奇数、偶数）毎あるいはフレーム毎にそのビデオ信号レベルの可変方向を逆とするためのクランプパルスを出力するクランプパルスレベル変調手段と、前記復調したビデオ信号のレベルをそのクランプパルスによって可変するクランプ手段とを備え、該レベル可変したビデオ信号に基づいて画像を表示し、同画像の表示画面の偽輪郭の位置を表示ライン毎、かつフィールド毎に変えるようにしたことを特徴としている。」と訂正する。
ｈ．特許明細書【００１３】の「出力する１／２カウンタ部３と、同分離した垂直同期信号の周波数を１／２とし、同１／２カウンタ部のセット、リセット信号を出力する１／２カウンタ部４と、同水平同期信号および１／２カウンタ部３からの周波数１／２の信号を入力し、表示ライン毎（表示ライン交互）にビデオ信号レベルを変え、かつフィールド（奇数、偶数）毎あるいはフレーム毎ににその」の記載を「出力する１／２水平カウンタ部３と、同分離した垂直同期信号の周波数を１／２として１／２水平カウンタ部にセット、リセット信号を出力し、フィールド毎あるいはフレーム毎に１／２水平カウンタ部３の出力を反転させる１／２垂直カウンタ部４と、同水平同期信号および１／２カウンタ部３からの周波数１／２の信号を入力し、表示ライン毎（表示ライン交互）にビデオ信号レベルを変え、かつフィールド（奇数、偶数）毎あるいはフレーム毎にその」と訂正する。
ｉ．特許明細書【００１５】の「画像表示装置の動作および画像表示方法の作用」の記載を「画像表示装置の作用」と訂正する。
ｊ．特許明細書【００２３】の「この発明の画像表示方法およびその装置によれば」の記載を「この発明によれば」と訂正する。
ｋ．図面の簡単な説明の【図２】の「図１に示す画像表示装置の動作および画像表示方法の作用を説明する概略的タイムチャート図である。」の記載を「図１に示す画像表示装置の作用を説明する概略的タイムチャート図である。」と訂正する。
ｌ．同【図３】の「図１に示す画像表示装置の動作および画像表示方法の作用を説明するビデオ信号の模式図である。」の記載を「図１に示す画像表示装置の作用を説明するビデオ信号の模式図である。」と訂正する。
（５４）【発明の名称】
画像表
示装
（５７）【特許請求の範囲】
　【請求項１】　
入力ビデオ信号による画像を表示パネル（ＰＤＰ）に表示する画像表示装置において、
　
前記入力ビデオ信号の同期信号（水平および垂直）を分離し、コンポジットビデオ信号を復調する色復調同期分離手段と、
　
前記分離した水平同期信号の周波数を１／２とし、この１／２周波数の信号を出力する１／２水平カウンタ手段と、
　
前記分離した垂直同期信号の周波数を１／２として前記１／２水平カウンタ手段にセット、リセット信号を出力し、フィールド毎あるいはフレーム毎に前記１／２水平カウンタ手段の出力を反転させる１／２垂直カウンタ手段と、
　
前記水平同期信号および１／２水平カウンタ手段からの周波数１／２の信号を入力し、表示ライン毎にビデオ信号レベルを変え、かつフィールド（奇数、偶数）毎あるいはフレーム毎にそのビデオ信号レベルの可変方向を逆とするためのクランプパルスを出力するクランプパルスレベル変調手段と、
　
前記復調したビデオ信号のレベルをそのクランプパルスによって可変するクランプ手段とを備え、
　
該レベル可変したビデオ信号に基づいて画像を表示し、同画像の表示画面の偽輪郭の位置を表示ライン毎、かつフィールド毎に変えるようにしたことを特徴とする画像表示装置。
【発明の詳細な説明】
　　　【０００１】
　【産業上の利用分野】
　この発明はテレビジョン等の表示系における映像信号処理、画像表示技術に係り、特に詳しくはＰＤＰ（Ｐｌａｓｍａ　Ｄｉｓｐｌａｙ　Ｐａｎｅｌ）に表示する画像を良好とする画像表
示装
　　　【０００２】
　【従来の技術】
　近年、このＰＤＰは、平面ディスプレイの中でも大画面等に優れており、かつフルカラー表示や高速の階調表示が可能なことから、薄型の大画面カラー表示装置（例えば壁掛けテレビジョン）に用いられようとしている。
　　　【０００３】
　ところで、パルス駆動方式のＰＤＰ装置では、例えばテレビ画面等の中間調表示を行う場合、画像表示するための映像信号（ビデオ信号）をディジタル化し、表示フィールド期間をビデオ信号の各ビットに対応するサブフィールドに分け、同各サブフィールドに表示（放電）パルス数を割り当てて画像表示を行っている。
　　　【０００４】
　すなわち、上記ＰＤＰは２値で動作するため、表示フィールド期間（時間フィールド）をビデオ信号のビットで分割し、短い時間のサブフィールド毎に２値の画像を順次表示し、積み重ねて画像を合成して階調表示を行っている。
　　　【０００５】
　この場合、上記ＰＤＰの表示画素を駆動するためのアドレッシングの時間が同表示画素の表示パルス印加時間に比して大きい比率を占めているため、サブフィールド数（表示パルス数に対応するもの）を多くし、表示階調数を大きくすると、表示画像が暗くなる。
　　　【０００６】
　そのため、カラーテレビ画面の表示としては、十分な階調（２５６階調（８ビット階調＝８サブフィールド）をとることが困難で、ＡＣ形（ＡＣ駆動方式）のＰＤＰでは６４階調（６サブフィールド）程度にとどまっている。
　　　【０００７】
　【発明が解決しようとする課題】
　ところで、表示階調数の少ないＰＤＰ、例えば６ビット程度でテレビ画面をＰＤＰに中間調表示する場合、特に緩やかに変化している画面（明るさの変化が小さい画面）では偽輪郭が目立ち、画質を極端に損なうという問題点がある。
　　　【０００８】
　この発明は上記課題に鑑みなされたものであり、その目的は画像の表示画
面の
した
示装
　　　【０００９】
　【課題を解決するための手段】
　上記目的を達成するために、この発明の画像表
示装
入力ビデオ信号による画像を表示パネル（ＰＤＰ）に表示する画像表示装置において、前記入力ビデオ信号の同期信号（水平および垂直）を分離し、コンポジットビデオ信号を復調する色復調同期分離手段と、前記分離した水平同期信号の周波数を１／２とし、この１／２周波数の信号を出力する１／２水平カウンタ手段と、前記分離した垂直同期信号の周波数を１／２として前記１／２水平カウンタ手段にセット、リセット信号を出力し、フィールド毎あるいはフレーム毎に前記１／２水平カウンタ手段の出力を反転させる１／２垂直カウンタ手段と、前記水平同期信号および１／２水平カウンタ手段からの周波数１／２の信号を入力し、表示ライン毎にビデオ信号レベルを変え、かつフィールド（奇数、偶数）毎あるいはフレーム毎にそのビデオ信号レベルの可変方向を逆とするためのクランプパルスを出力するクランプパルスレベル変調手段と、前記復調したビデオ信号のレベルをそのクランプパルスによって可変するクランプ手段とを備え、該レベル可変したビデオ信号に基づいて画像を表示し、同画像の表示画面の偽輪郭の位置を表示ライン毎、かつフィールド毎に変えるようにしたことを特徴としている。
　　　【００１０】
　【作用】
　上記手段によると、上記入力ビデオ像信号によりテレビ画面等を中間調で表示パネルに表示する際、同入力ビデオ信号のレベルは表示ライン（水平走査期間；１Ｈ）毎に最小表示階調レベルの半分程度だけ可変され、かつ、フィールド毎あるいはフレーム毎に同最小階調レベルの半分程度だけ可変する方向が逆とされる。
　　　【００１１】
　このようにして、表示パネルに表示しようとする画像のビデオ信号のレベルが各表示ライン毎、フィールド毎に変わることから、同ビデオ信号のディジタル化によって生じる画像の偽輪郭は表示ライン毎、フィールド毎あるいはフレーム毎にその位置が変わり、全体として目立たなくなる。
　　　【００１２】
　【実施例】
　この発明の画像表
示装
　　　【００１３】
　そこで、図１に示すように、この発明の画像表示装置は、例えば入力ビデオ信号による画像を表示する表示パネル（ＰＤＰ）１と、同入力ビデオ信号の同期信号（水平および垂直）を分離し、色差信号のビデオ信号を復調する色復調同期分離部２と、同分離した水平同期信号の周波数を１／２とし、この１／２周波数の信号を出力する１／２
水平
て
水平
に
し、フィールド毎あるいはフレーム毎に１／２水平カウンタ部３の出力を反転させる
垂直
にそ
　　　【００１４】
　また、上記クランプパルスはビデオ信号レベルを当該最小表示階調レベルのほぼ１／２だけ上下に可変している。なお、ビデオインターフェイス７は既に知られている構成であり、例えばガンマ補正回路やＰＤＰ１のコントローラ等である。
　　　【００１５】
　次に、上記構成の画像表示装置
の作
　　　【００１６】
　すると、上記色復調同期分離部２は入力ビデオ信号の同期信号（水平、垂直）を分離するとともに、同入力ビデオ信号を元の色信号のビデオ信号に復調する。１／２水平カウンタ部３はその水平同期信号を分周して周波数を１／２とする。このとき、１／２垂直カウンタ部４はその垂直同期信号（パルス）を分周して周波数を１／２とし、この１／２の周波数とした信号を１／２水平カウンタ部３のセット、リセット信号とする。したがって、上記１／２水平カウンタ部３ではフィールド毎あるいはフレーム毎に入力水平同期信号の周波数を１／２とするカウント動作を行うことになる。
　　　【００１７】
　上記水平同期信号および１／２水平カウンタ部３からの信号を入力したクランプパルスレベル変調部５はビデオ信号レベルを上下に可変するためのクランプパルスを発生する（図２に示す）。同図から明かなように、このクランプパルスは１水平走査期間（１Ｈ；表示ライン）毎に当該表示階調の最小表示階調レベルのほぼ１／２だけ上下に変化し、つまりレベル差を当該最小表示階調レベルのほぼ１／２になっている。しかも、同図（ａ）および（ｂ）に示すように、ビデオ信号の奇数フィールドと偶数フィールドでは、そのクランプパルスのレベルが逆方向に変化している。
　　　【００１８】
　なお、上記クランプパルスレベルについては、例えば６４階調である場合ビデオ信号の最大振幅の１／１２８で変化するようにしてもよい。また、上記クランプパルスのレベルの変化方向はフレーム毎に逆としてもよい。
　　　【００１９】
　上記クランプパルスを入力したクランプ部６は、色復調したビデオ信号のレベルを上下に可変し、すなわち１水平走査期間（１Ｈ；表示ライン）毎に同ビデオ信号レベルを交互に当該最小表示階調レベルの１／２だけ上下に変える。また、上記ビデオ信号を最小表示階調レベルの１／２だけ上下にレベル可変するだけなく、奇数フィールドと偶数フィールドとではその逆の方向にレベル可変し、そしてこのレベル可変した信号をビデオインターフェイス７に出力する。
　　　【００２０】
　すると、ビデオインターフェイス７によってビデオ信号による画像をＰＤＰ１に表示する際、同ビデオ信号をディジタル化するために、同ビデオ信号による表示画像の画面には偽輪郭が生じる。
　　　【００２１】
　しかし、奇数フィールドおよび偶数フィールドのビデオ信号レベルが水平ライン毎に上下に変化し、かつフィールド毎にそのレベル変化が逆方向となっていることから、例えば図３に示すように同ビデオ信号のディジタル化よって生じる偽輪郭部ａ，ｂは各表示ライン毎に紙面上左右方向にづれて現れ、上記ＰＤＰ１の表示画面では偽輪郭が目立たなくなる。すなわち、偽輪郭の位置が各表示ライン毎に、またフィールド毎に異なり、表示画像の偽輪郭と真の画像（表示画像）と距離が一定にならないからである。
　　　【００２２】
　このように、ＰＤＰ１の表示画面の偽輪郭発生位置を表示ライン（水平走査期間；１Ｈ）毎、またフィールド（奇数、偶数）毎あるいはフレーム毎に変えるようにしたので、偽輪郭が目立たなく、真の画像が明瞭となり、特に緩やかに変化している画面（明るさの変化が小さい画面）における画質の向上が顕著であり、ひいては実効的な表示階調数の増加となる。なお、急峻に変化する画面（明るさの変化が大きい画面）であっても、同様に偽輪郭は目だたないことは説明するまでもない。
　　　【００２３】
　【発明の効果】
　以上説明したように、この発
明に
【図面の簡単な説明】
　【図１】
　この発明の一実施例を示す画像表示装置の概略的ブロック線図である。
　【図２】
　図１に示す画像表示装置
の作
　【図３】
　図１に示す画像表示装置
の作
　【符号の説明】
　１　ＰＤＰ（プラズマディスプレイパネル）
　２　色復調同期分離部
　３　１／２水平カウンタ部
　４　１／２垂直カウンタ部
　５　クランプパルスレベル変調部
　６　クランプ部
　７　ビデオインターフェイス